【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
全ての内ローラーは、２つの外ローラーと転がり接触しており、
全ての外ローラーは、２つの内ローラーと転がり接触している、
変速装置。
【請求項２】
前記内レース及び前記外レースのそれぞれは、ある軸線に中心が置かれており、第１外ローラーに接触する第１内ローラーの各対について、トラクション角度φは、第１内ローラーの中心を通って前記軸線から外向きに延びる第１のラインと、第１外ローラーと前記外レースとの接点及び第１内ローラーと前記内レースとの接点から延びる第２のラインとの間の角度として規定されており、第１内ローラーは、第１の摩擦係数ＣＦ１を有する前記内レースに接触しており、第１外ローラーは、第２の摩擦係数ＣＦ２を有する前記外レースに接触しており、ＣＦ１＞ｔａｎ（φ）及びＣＦ２＞ｔａｎ（φ）である、
請求項１に記載の変速装置。
【請求項３】
前記トラクション角度は、４５°、４０°、３９°、３８°、３７°、３６°、３５°、３４°、３３°、３２°、３１°、３０°、２９°、２８°、２７°、２６°、２５°、２４°、２３°、２２°、２１°、２０°、１９°、１８°、１７°、１６°又は１５°以下である、
請求項２に記載の変速装置。
【請求項４】
前記軌道ローラーの１つ又は複数が、中空である、
請求項１，２又は３に記載の変速装置。
【請求項５】
各内ローラーは、軸線方向に整列した複数のローラー部分から形成されている、
請求項１乃至４のいずれか一項に記載の変速装置。
【請求項６】
各外ローラーは、前記外ローラーが接触するような各内ローラーのそれぞれのローラー部分と接触する、
請求項５に記載の変速装置。
【請求項７】
前記外ローラーは、前記内ローラーよりも長く、前記外ローラーは、前記内レース及び前記外レースと同軸となる入力リングによって駆動されるように接続されている、
請求項５又は６に記載の変速装置。
【請求項８】
前記入力リングは、外向き面を有しており、該外向き面は、前記外ローラーとギヤ接触する、
請求項７に記載の変速装置。
【請求項９】
各外ローラーは、軸線方向に整列したローラー部分のペアから形成される、
請求項１乃至５のいずれか一項に記載の変速装置。
【請求項１０】
各内ローラーは、前記内ローラーが接触するような各外ローラーのそれぞれのローラー部分と接触している、
請求項９に記載の変速装置。
【請求項１１】
前記内ローラーは、前記外ローラーよりも長く、前記内ローラーは、前記内レース及び前記外レースと同軸となるような入力リングによって駆動されるように接続される、
請求項９又は１０に記載の変速装置。
【請求項１２】
前記入力リングは、内向き面を有しており、該内向き面は、前記内ローラーとギヤ接触する、
請求項１１に記載の変速装置。
【請求項１３】
前記内ローラーは、第１の摩擦係数ＣＦ１を有する前記内レースに接触しており、前記外ローラーは、第２の摩擦係数ＣＦ２を有する前記外レースに接触しており、ＣＦ１及びＣＦ２の少なくとも一方が、０．２７、０．２８、０．２９、０．３０、０．３１、０．３２、０．３３、０．３４、０．３５、０．３６、０．３７、０．３８、０．３９、０．４０、０．４５、０．５０又は０．６０以上である、
請求項１乃至１２のいずれか一項に記載の変速装置。
【請求項１４】
予備変速段階と統合される、
請求項１乃至１３のいずれか一項に記載の変速装置。
【請求項１５】
統合された予備変速段階を含む予備変速装置は、自己増力式の本発明の変速装置を使用して、第１段での前記ローラーのカム作用によって、第１段の前記外レース上のこれらのローラーの接触力を増大させ、第１段の前記外レースは、この増大したラジアル力を、第２段の前記ローラーの入力トラクション面に伝達するように拡大することができる、
請求項１４に記載の変速装置。
【請求項１６】
前記内ローラー及び前記外ローラーは、前記レース内に前負荷力がかかった状況で互いに押圧される、
請求項１乃至１５のいずれか一項に記載の変速装置。
【請求項１７】
変速装置であって、当該変速装置は：
外面を有する内レースと；
内面を有する外レースと；
前記内レースの外面と転がり接触する１９個以上の内ローラーと、前記外レースの内面と転がり接触する外ローラーとを含む軌道ローラーのセットと；を有しており、
各内ローラーは、２つの外ローラーと転がり接触している、
変速装置。
【請求項１８】
前記内ローラー及び前記外ローラーは、前記レース内に前負荷力がかかった状況で互いに押圧される、
請求項１７に記載の変速装置。
【請求項１９】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、
前記内レース及び前記外レースのそれぞれが、ある軸線に中心が置かれており、第１外ローラーに接触する第１内ローラーの各対について、トラクション角度φは、第１内ローラーの中心を通って前記軸線から外向きに延びる第１のラインと、第１外ローラーと前記外レースとの接点及び第１内ローラーと前記内レースとの接点から延びる第２のラインとの間の角度として規定されており、第１内ローラーは、第１の摩擦係数ＣＦ１を有する前記内レースに接触しており、第１外ローラーは、第２の摩擦係数ＣＦ２を有する前記外レースに接触しており、ＣＦ１＞ｔａｎ（φ）及びＣＦ２＞ｔａｎ（φ）である、
変速装置。
【請求項２０】
前記内ローラー及び前記外ローラーは、前記レース内に前負荷力がかかった状況で互いに押圧される、
請求項１９に記載の変速装置。
【請求項２１】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、そして、以下のＡ又はＢのいずれか、又は両方として形成される：
Ａ．各内ローラーは、軸線方向に整列した２つ以上のローラー部分で形成されている；
Ｂ．各外ローラーは、軸線方向に整列した２つ以上のローラー部分で形成されている；
変速装置。
【請求項２２】
前記外ローラーは、前記内ローラーよりも長く、前記外ローラーは、前記内レース及び前記外レースと同軸となる入力リングによって駆動されるように接続される、
請求項２１に記載の変速装置。
【請求項２３】
前記内ローラーは、前記外ローラーよりも長く、前記内ローラーは、前記内レース及び前記外レースと同軸となる入力リングによって駆動されるように接続される、
請求項２１に記載の変速装置。
【請求項２４】
前記内ローラー及び前記外ローラーは、前記レース内に前負荷力がかかった状況で互いに押圧される、
請求項２１，２２又は２３に記載の変速装置。
【請求項２５】
変速装置であって、当該変速装置は：
第１段と第２段とを含んでおり、第１段及び第２段のそれぞれは、請求項１，１７，１９又は２１のうちの１つ又は複数による変速装置で形成されており、第１段での前記軌道ローラーのカム作用によって、第１段の前記外レース上の前記軌道ローラーの接触力を増大させ、それによって、第１段の前記外レースは、第２段の前記ローラー上の入力トラクション面にラジアル力を伝達するように拡大する、
変速装置。
【請求項２６】
各トラクション角度は、１５°、１６°、１７°、１８°、１９°、２０°、２５°又は３０°に等しいか又はこれらの角度未満である、
請求項２５に記載の変速装置。
【請求項２７】
前記内レースは、単一の円筒面で構成されている、
請求項１乃至２４のいずれか一項に記載の変速装置。
【請求項２８】
前記内レースは、他の構成要素のためのスペースを確保するのに十分な大きさの領域によって区切られた２つ以上の円筒面で構成されている、
請求項１乃至２４のいずれか一項に記載の変速装置。
【請求項２９】
前記外レースは、単一の円筒面で構成されている、
請求項１乃至２４のいずれか一項に記載の変速装置。
【請求項３０】
前記外レースは、他の構成要素のためのスペースを確保するのに十分な大きさの領域によって区切られた２つ以上の円筒面で構成されている、
請求項１乃至２４のいずれか一項に記載の変速装置。
【請求項３１】
前記内レース及び／又は前記外レースは、前記内レース及び／又は前記外レースの円筒形の接触面の外縁から軸線方向に測定された、中心位置に又はこの位置付近の前記レースの軸線に対して直交する平面の一方の側にある２つの円筒面で構成されている、
請求項１乃至２４のいずれか一項に記載の変速装置。
【請求項３２】
前記内レース及び前記外レースと同心となるリングをさらに含んでおり、該リングは、前記軌道ローラーを駆動する、又は前記軌道ローラーによって駆動されるように前記軌道ローラーに接続されている、
請求項１乃至５及び請求項１７乃至２１のいずれか一項に記載の変速装置。
【請求項３３】
前記リングは、前記内ローラーを駆動するために該内ローラーに接続されている、
請求項３２に記載の変速装置。
【請求項３４】
前記リングは、内面を有しており、該内面は、１つ又は複数の前記内ローラーに接触している、
請求項３３に記載の変速装置。
【請求項３５】
前記リングの前記内面は、１つ又は複数の前記内ローラーとギヤ接触している、
請求項３４に記載の変速装置。
【請求項３６】
前記リングの前記内面は、１つ又は複数の前記内ローラーとトラクション接触している、
請求項３４に記載の変速装置。
【請求項３７】
前記リングは、前記外ローラーを駆動するために該外ローラーに接続されている、
請求項３２に記載の変速装置。
【請求項３８】
前記リングは、外面を有しており、前記リングの前記外面は、１つ又は複数の前記外ローラーと接触している、
請求項３７の変速装置。
【請求項３９】
前記リングの前記外面は、１つ又は複数の前記外ローラーとギヤ接触している、
請求項３８に記載の変速装置。
【請求項４０】
前記リングの前記外面は、１つ又は複数の前記外ローラーとトラクション接触している、
請求項３８に記載の変速装置。
【請求項４１】
全ての転がり接触は、ギヤ接触である、
請求項１乃至３５及び３６乃至３９のいずれか一項に記載の変速装置。
【請求項４２】
全ての転がり接触は、トラクション接触である、
請求項１乃至７、９乃至１１、１３乃至３４、３６乃至３８及び４０のいずれか一項に記載の変速装置。
【請求項４３】
前記内レースと各前記内ローラーとの接触部、トルクを伝達する前記外ローラーと各前記内ローラーとの接触部が、トルク伝達径を有しており、全てのトルク伝達径が等しい、
請求項１乃至４２のいずれか一項に記載の変速装置。
【請求項４４】
前記外レースと各前記外ローラーとの接触部、トルクを伝達する前記前記内ローラーと各前記外ローラーとの接触部が、トルク伝達径を有しており、全てのトルク伝達径が等しい、
請求項１乃至４３のいずれか一項に記載の変速装置。
【請求項４５】
前記外ローラーは、前記外ローラーと前記内ローラーとが接触する直径とは異なる、前記外レースの内面と接触する直径を有している、
請求項１乃至４３のいずれか一項に記載の変速装置。
【請求項４６】
前記外ローラーは、前記内ローラーに接触する主トルク伝達径よりも大きな、前記外レースの内面に接触する主トルク伝達径を有する、
請求項１乃至４３のいずれか一項に記載の変速装置。
【請求項４７】
前記外ローラーは、前記内ローラーと接触する主トルク伝達径よりも大きな、前記外レースの主トルク伝達の接触内面に接触する主トルク伝達径を有しており、
前記内ローラーは、前記外ローラーと接触する主トルク伝達径と同じ、前記外レースに接触する主トルク伝達径を有する、
請求項１乃至４３のいずれか一項に記載の変速装置。
【請求項４８】
前記内ローラーは、前記外ローラーと接触するより大きな主トルク伝達径と、前記内レースの外面と接触するより小さな主トルク伝達径と、を有する、
請求項１乃至４３のいずれか一項に記載の変速装置。
【請求項４９】
前記外ローラーは、２つの直径を有しており、前記内ローラーは、前記外レースが固定される場合に、ローラーの回転によって、一方向に前記ローラーの周回が生じて、ローラーの周回方向と同じ方向に前記内レースの回転がもたらされるような１つの直径を有する、
請求項１乃至４３のいずれか一項に記載の変速装置。
【請求項５０】
前記外ローラーは、２つの直径を有しており、前記内ローラーは、前記外レースが固定される場合に、ローラーの回転によって、一方向に前記ローラーの周回が生じて、ローラーの周回方向と反対方向に前記内レースの回転がもたらされるような１つの直径を有する、
請求項１乃至４３のいずれか一項に記載の変速装置。
【請求項５１】
前記外ローラーは、２つの直径を有しており、前記内ローラーは、前記外レースが固定される場合に、ローラーの回転によって、一方向に前記ローラーの周回が生じて、ローラーの周回方向と同じ方向に前記内レースの回転がもたらされるような２つの異なる直径を有する、
請求項１乃至４３のいずれか一項に記載の変速装置。
【請求項５２】
前記外ローラーは、２つの直径を有しており、前記内ローラーは、前記外レースが固定される場合に、ローラーの回転によって、一方向に前記ローラーの周回が生じて、ローラーの周回方向と反対方向に前記内レースの回転がもたらされるような２つの異なる直径を有する、
請求項１乃至４３のいずれか一項に記載の変速装置。
【請求項５３】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、
少なくとも各外ローラー又は各内ローラーは、２つの異なる直径を有しており、前記外ローラーの直径に対する前記内ローラーの直径の比に依存して、前記軌道ローラーは、前記内レースの回転と同じ方向又は反対方向に周回する、
変速装置。
【請求項５４】
前記軌道ローラーは、軸線方向の両端部の間に延びており、前記軌道ローラーの少なくともいくつかは、前記軸線方向の端部の少なくとも一方に向けて直径が減少する、
請求項１乃至５３のいずれか一項に記載の変速装置。
【請求項５５】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、
前記軌道ローラーは、軸線方向の両端部の間に延びており、前記軌道ローラーは、前記軸線方向の端部に向けて減少する直径を有する、
変速装置。
【請求項５６】
前記軌道ローラーのローラーは、前記ローラーが軸線方向に中心が置かれていない場合には、前記軌道ローラーの他のローラーの円錐面に接触するような円錐面を有する、
請求項１乃至５５のいずれか一項に記載の変速装置。
【請求項５７】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、
前記軌道ローラーのローラーは、該ローラーが軸線方向に中心が置かれていないときに、前記軌道ローラーの他のローラーの円錐面に接触するような円錐面を有する、
変速装置。
【請求項５８】
前記内レース及び前記外レースの一方又は両方に接続された構造部材をさらに含む、
請求項１乃至５７のいずれか一項に記載の変速装置。
【請求項５９】
前記構造部材は、出力部材の３６０゜回転を防ぐためにストッパを形成する、
請求項５８に記載の変速装置。
【請求項６０】
前記軌道ローラーは、ラジアル負荷に耐えるように構成されている、
請求項１乃至５９のいずれか一項に記載の変速装置。
【請求項６１】
前記内レースは、中心に貫通孔を有する、
請求項１乃至６０のいずれか一項に記載の変速装置。
【請求項６２】
入力装置を提供するために、前記変速装置と一体化されたモータをさらに有している、
請求項１乃至６１のいずれか一項に記載の変速装置。
【請求項６３】
ハウジング内に収容される、
請求項１乃至６１のいずれか一項に記載の変速装置。
【請求項６４】
前記内レースは、ハウジングによって接続された分割内レースで形成されている、
請求項１乃至６１のいずれか一項に記載の変速装置。
【請求項６５】
前記外レースは、ハウジングによって接続された分割外レースで形成されている、
請求項１乃至６１及び６４のいずれか一項に記載の変速装置。
【請求項６６】
入力装置を提供するために、前記変速装置と一体化されたモータをさらに有しており、該モータは、前記ハウジング内に収容されている、
請求項６４又は６５に記載の変速装置。
【請求項６７】
一体型回転センサをさらに含む、
請求項１乃至６６のいずれか一項に記載の変速装置。
【請求項６８】
前記一体型回転センサは、高速センサと低速センサとを有しており、前記高速センサは、前記低速センサのキャリブレーションとして使用される、
請求項６７に記載の変速装置。
【請求項６９】
前記内ローラーは、前記外ローラーよりも低い摩擦係数を有する材料で形成されており、前記内レース及び前記内ローラーは、動作中に互いに接触する、
請求項１乃至６８のいずれか一項に記載の変速装置。
【請求項７０】
前記外ローラーは、前記内ローラーよりも低い摩擦係数を有する材料で形成されており、前記外レース及び前記外ローラーは、動作中に互いに接触する、
請求項１乃至６８のいずれか一項に記載の変速装置。
【請求項７１】
３６０°回転以上の出力を有するアクチュエータをさらに含む、
請求項１乃至７０のいずれか一項に記載の変速装置。
【請求項７２】
注油されない、
請求項１乃至７１のいずれか一項に記載の変速装置。
【請求項７３】
前記内ローラーは、固定式間隔調整用のケージによって支持されている、
請求項１乃至７２のいずれか一項に記載の変速装置。
【請求項７４】
前記内ローラーは、前記ケージに固定されたピンによって支持されている、
請求項７３に記載の変速装置。
【請求項７５】
前記外ローラーは、固定式間隔調整用のケージによって支持されている、
請求項１乃至７２のいずれか一項に記載の変速装置。
【請求項７６】
前記外ローラーは、前記ケージに固定されたピンによって支持されている、
請求項７５に記載の変速装置。
【請求項７７】
前記内ローラーは、分離した内ローラーに取り付けられた円形部材によって離間されており、前記分離した内ローラー同士の間に介在する前記内ローラー上でボスに当接する、
請求項１乃至７２のいずれか一項に記載の変速装置。
【請求項７８】
前記外ローラーは、分離した外ローラーに取り付けられた円形部材によって離間されており、前記分離した外ローラー同士の間に介在する前記外ローラー上でボスに当接する、
請求項１乃至７２のいずれか一項に記載の変速装置。
【請求項７９】
前記内ローラーは、該内ローラーの少なくともいくつかとギヤ接触するギヤ付きリングによって離間されている、
請求項１乃至７２のいずれか一項に記載の変速装置。
【請求項８０】
前記ギヤ付きリングは、各前記内ローラーとギヤ接触している、
請求項７９に記載の変速装置。
【請求項８１】
前記ギヤ付きリングは、前記内ローラーとの間でトルク伝達を提供するように配置される、
請求項７９又は８０に記載の変速装置。
【請求項８２】
前記外ローラーは、該外ローラーの少なくともいくつかとギヤ接触するギヤ付きリングによって離間されている、
請求項１乃至７２のいずれか一項に記載の変速装置。
【請求項８３】
前記ギヤ付きリングは、各前記外ローラーとギヤ接触している、
請求項８２に記載の変速装置。
【請求項８４】
前記ギヤ付きリングは、前記外ローラーとの間でトルク伝達を提供するように配置される、
請求項８２又は８３に記載の変速装置。
【請求項８５】
変速装置であって、当該変速装置は：
外面を有する内レースと；
内面を有する外レースと；
前記内レースの外面と転がり接触する内ローラーと、前記外レースの内面と転がり接触する外ローラーとを含む軌道ローラーのセットと；を有しており、
各内ローラーは、２つの外ローラーと転がり接触しており、
前記軌道ローラーの少なくともいくつかは、ギヤ付きリング、前記軌道ローラーの少なくともいくつかに取り付けられており且つ離間して置かれた軌道ローラー上の円形部材及びボス部材と協働するケージの１つ又は複数によって離間されている、
変速装置。